(57)【要約】【課題】  トリガーのストロークを規制しているときに、トリガーをロックして解除不能にならないようにする電動工具スイッチを提供する。【解決手段】  スイッチ本体と、スイッチ本体に搭載され、切替レバーによりモータの回転方向を切り替える切替スイッチ部と、スイッチ本体から突出される操作子を押圧することによりモータの回転速度を変更することができるトリガーと、スイッチ本体とトリガーとの間に介在し、トリガーのストロークを制限してモータの正回転と逆回転の回転速度を変更させるための可動ストッパと、モータの回転速度を調整するための調速機構から構成され、更に、スイッチ本体は、本体内部方向に押下することによってトリガーをロックすることができるロックボタンを備え、可動ストッパには、ロックボタンによるロックを阻止するロック阻止部が突設して一体形成し、切替レバーの操作によって可動ストッパを動作させたとき、ロック阻止部をスイッチ本体とロック部との間に挟入させる。【選択図】  図１
2006231494.tif 000002
【特許請求の範囲】
【請求項１】
モータの回転数を制御する回転数制御回路を有するスイッチ本体と、
前記スイッチ本体に搭載され、切替レバーにより前記モータの回転方向を切り替える切替スイッチ部と、
前記スイッチ本体から突出される操作子を押圧することにより前記モータの回転速度を変更することができるトリガーと、
前記スイッチ本体と前記トリガーとの間に介在し、該トリガーのストロークを制限して前記モータの正回転と逆回転の回転速度を変更させるための可動ストッパと、
前記モータの回転速度を調整するための調速機構と、から構成され、
更に、前記スイッチ本体は、本体内部方向に押下することによって前記トリガーをロックすることができるロックボタンを備え、
前記可動ストッパには、前記ロックボタンによるロックを阻止するロック阻止部が突設して一体形成されている電動工具スイッチであって、
前記切替スイッチ部の切替レバーの操作によって前記可動ストッパを動作させ、該可動ストッパに一体形成された前記ロック阻止部を前記スイッチ本体と前記ロック部との間に挟入させることにより前記ロックボタンの押下を阻止するようにしたこと
を特徴とする電動工具スイッチ。
【請求項２】
前記切替スイッチ部の切替レバーの操作により、前記モータの回転方向を逆回転側に切り換えたときに、前記可動ストッパを動作させ、前記ロック阻止部によって前記ロックボタンの押下を阻止するようにしたこと
を特徴とする請求項１に記載の電動工具スイッチ。
【発明の詳細な説明】
【技術分野】
【０００１】
本発明は、例えば、携帯用電動ドリルやその他の電動工具に用いられ、モータの回転速度を調整することができる電動工具スイッチに関するものである。
【背景技術】
【０００２】
従来、業務用或いは家庭用の電動工具に用いられる電動工具スイッチにおいて、モータの回転方向を切り替えるために、切替スイッチ部がスイッチ本体に併設され、この切換スイッチ部によって回転の方向を切り替えている。
【０００３】
上述した電動工具スイッチには、操作者がトリガーを押圧するとモータが回転し、トリガーの押圧を解除するとモータの回転が停止するようになっているが、トリガーを押圧し続けなくてもモータの回転を持続させることができるように、トリガーを最大限に押圧した状態（フルストローク状態）でロックするロック機構が設けてあったり、モータの回転速度を調整できるようにした調速機構が設けた電動工具スイッチもある。
【０００４】
例えば、このような電動工具スイッチとして、モータの効率を向上させるため、モータの回転方向を切り替えるための切替レバーを回動操作できるようにして、スイッチ本体とトリガーの間に介在する可動ストッパに設けられたストローク規制部とトリガーの内部に設けられた操作規制部とを着脱させて、正回転と逆回転の回転速度を変更するようにし、従来の機械的な切替スイッチ部の構成を生かしながら、逆方向へのモータの回転速度を正方向とは異なるようにした構成とし、正方向の回転の場合は可動ストッパの動きを制御してストローク規制部と操作規制部とを当接させない状態としてトリガーによる大きなストロークを確保して効率の良いモータの回転数とし、逆方向の回転の場合はストローク規制部と操作規制部とを当接させた状態としてトリガーによるストロークを制限するようにして逆方向時のモータの回転を制限することができる電動工具スイッチが考案されている（特許文献１参照）。
【特許文献１】特開２００２−１５４０７３号公報（第４−７頁、図１、図９、図１０）
【０００５】
ここで、上述したような調速機構付きの電動工具スイッチにおけるロック機構について説明する。
【０００６】
まず、電動工具スイッチの構成について説明する。図６は、従来技術における調速機構付き電動工具スイッチの一実施例の構成を説明するための説明図であり、ロックボタン９を有するスイッチ本体５２と、切替レバー５３備えた切替スイッチ部５４と、トリガー５７と、可動ストッパ５８と、調速ダイヤル９０などから構成される。
【０００７】
スイッチ本体５２は、モータの回転数を制御する回転数制御回路や回転速度を変更・調整するためのロックプレート５６（図示せず）などの機構が内蔵され、更に、本体の片側の側面にはロックボタン９を有している。
【０００８】
スイッチ本体５２内にあるロックプレート５６は、端部に所定の角度を持ったカギ状凸部５６ａ（後述）を有し、トリガー５７の押圧に連動して移動し、ロックボタン９の押下を阻止又は許可したり、調速ダイヤル９０の回転に応じて位置を移動させることでモータの回転速度が調整される。
【０００９】
ロックボタン９は、トリガー５７を最大限に押し込んだ状態（以下、フルストローク）でロックすることができるボタンであり、先端部に所定の角度を持ったカギ状凸部９ａ（後述）を有しており、ロックプレート５６の端部のカギ状凸部５６ａ（後述）と掛止することで、トリガー５７をロックする。
【００１０】
図７は、ロックプレート５６の端部とロックボタン９の先端部との関係を示した拡大図（断面図）であり、図７（Ａ）に示すように、ロックプレート５６の端部のカギ状凸部５６ａとロックボタン９の先端部のカギ状凸部９ａは、対面するように配設され、且つ、互いの凸部によって掛止できるように逆方向に設けられおり、トリガー５７をフルストロークとなるまで押圧して連動するロックプレート５６を移動させ、この状態でロックボタン９を押下すると、トリガー５７の押圧を解除しても、図７（Ｂ）に示すように、互いの凸部が掛止してトリガー５７がロックされる。
【００１１】
切替スイッチ部５４は、スイッチ本体５２に搭載され、切替レバー５３によりモータの回転の正逆を切り替える機構を備えている。また、切替レバー５３には、底面側の傾斜状に立ち上がる直前の下方に突起部６１が突設されている。
【００１２】
トリガー５７は、スイッチ本体５２との間に介在しているスプリング（図示せず）によってスイッチ本体５２側へ押圧できるようになっており、スイッチ本体５２側に押圧するとモータが始動し、更に、押し込むことによって回転速度を変更し、また、押圧を解除すると、スプリングの反発によって押圧前の位置に戻ってモータが停止するようになっている。
【００１３】
可動ストッパ５８は、スイッチ本体５２とトリガー５７との間に設けられ、切替レバー５３が操作されたとき、突起部６１によって押下されることで、スイッチ本体５２とトリガー５７との間に挿入状態となり、トリガー押圧によるストロークを制限し、モータの正回転と逆回転の回転速度を変更させる。
【００１４】
調速ダイヤル９０は、トリガー５７の正面方向から組み込まれており、スイッチ本体５２内のロックプレート５６と連動するダイヤルであり、ダイヤルを回転させると、ロックプレート５６の位置が前後に移動してトリガー５７のストローク（押込量）を可変させ、モータの回転速度が調整される。
【００１５】
次に、上記構成からなる電動工具スイッチによるトリガーのロック動作について説明する。
【００１６】
図８は、トリガーのストロークを制限していないとき（切替レバー５３が正回転側）のロック動作を示す図であり、上から順に、電動工具スイッチの平面図、トリガー５７が押圧されていない状態（トリガーフリー）を示す側面図、トリガー５７を完全に押圧したとき（フルストローク）の状態を示す側面図である。
【００１７】
また、図８の(ａ)〜（ｅ）は、ロック動作時のロックボタン９とロックプレート５６の様子を簡略化して示すものであり、トリガーフリーの状態からトリガーをロックし、ロックが解除する過程を簡略化して示した説明図である。
【００１８】
なお、図中の一点鎖線は、トリガー５７をフルストロークまで押圧した位置に対応し、二点鎖線は、トリガーを押圧していないフリーの位置に対応している。
【００１９】
まず、トリガー５７を押圧していない(ａ)の状態では、スイッチ本体５２内のロックプレート５６の位置は、ロックボタン９の押下方向を遮る位置に存在しており、ロックできない状態となっている。
【００２０】
次に、(ａ)の状態から、トリガー５７を押圧してゆくと、スイッチ本体５２内のロックプレート５６も連動して移動し、フルストロークの位置まで押圧すると、ロックプレート５６がロックボタン９の押下を妨げない位置に移動した(ｂ)の状態となる。
【００２１】
ここで、トリガー５７をロックするとき、(ｃ)の状態のように、スイッチ本体５２の内側にロックボタン９を押下する（押し込む）。
【００２２】
次に、トリガー５７の押圧を解除する（離す）と、スプリング７１，７３の反発によって押圧方向と逆方向（押圧前の方向）に戻るので、ロックプレート５６もこの動きに連動して逆方向（押圧前の方向）に戻るが、押し込まれたロックボタン９の先端部によって移動方向を妨げられるため、逆方向（押圧前の方向）に少し戻るだけとなる。
【００２３】
続いて、ロックボタン９の押下を解除する（離す）と、ロックボタン９も押下前の位置に戻ろうとするが、このとき、ロックプレート５６の端部のカギ状凸部５６ａとロックボタン９の先端部のカギ状凸部９ａとが掛止して(ｄ)の状態となり、トリガー５７がほぼフルストロークの位置でロックされる。
【００２４】
ロックを解除するときは、トリガー５７を再押圧することにより、少しだけ逆方向（押圧前の方向）に戻っているロックプレート５６がフルストロークの位置に完全に押し込まれ、ロックボタン９の先端部のカギ状凸部９ａとロックプレート５６の端部のカギ状凸部５６ａとの掛止が解除され、(ｅ)の状態のように、ロックボタン９が押下前の位置に戻り、トリガー５７のロックが解除される。
【００２５】
一方、図９は、トリガーのストロークが制限されているとき（切替レバー５３が逆回転側）のロック動作を示す図であり、図８と同様、上から順に、電動工具スイッチの平面図、トリガー５７が押圧されていない状態（トリガーフリー）を示す側面図、トリガー５７を完全に押圧したとき（フルストローク）の状態を示す側面図である。
【００２６】
また、図９の(ａ)〜（ｅ）は、図８と同じく、ロック動作時のロックボタン９とロックプレート５６の様子を簡略化して示すものであり、トリガーフリーの状態からトリガーをロックし、ロックが解除する過程を簡略化して示した説明図である。
【００２７】
なお、図中の一点鎖線は、トリガー５７をフルストロークまで押圧した位置に対応し、二点鎖線は、トリガーを押圧していないフリーの位置に対応している。
【００２８】
逆回転の場合は、切替レバー５３に突設された突起部６１が、可動ストッパ５８を押下した状態となり、可動ストッパ５８がトリガー５７とスイッチ本体５２との間に挿入されてトリガー５７のストロークが制限され、トリガー５７の押圧により、例えば、ハーフストローク分の距離しか移動（押圧）させることができなくなる。
【００２９】
そのため、トリガーのストロークを制限していないとき（切替レバー５３が正回転側）に比べて、トリガーの移動範囲が規制され、トリガーフリーの位置（図中の一点鎖線）とトリガーをフルストロークの位置まで押圧した位置（図中の二点鎖線）との差が小さくなっている。
【００３０】
トリガー５７のストロークが制限される以外は、図８の過程と同じであり、トリガー５７をロックするときは、まず、調速ダイヤル９０を回転させ、それに連動して動くロックプレート５６を図９（ａ）の右側に移動させ、ストロークが規制された状態でもロックが掛かる状態にし、トリガー５７を押圧していない(ａ)の状態からフルストロークの位置まで押圧すると、(ｂ)の状態のようにロックプレート５６がロックボタン９の押下を妨げない位置に移動し、ここで、(ｃ)の状態のようにスイッチ本体５２の内側にロックボタン９を押下する（押し込む）。
【００３１】
そして、トリガー５７の押圧を解除し、続いて、ロックボタン９の押下を解除してもロックプレート５６の端部のカギ状凸部５６ａとロックボタン９の先端部のカギ状凸部９ａとが掛止して(ｄ)の状態となり、トリガー５７がほぼフルストロークの位置でロックされる。
【００３２】
また、ロックを解除するときは、トリガー５７を再押圧することにより、ロックプレート５６が移動し、ロックボタン９の先端部のカギ状凸部９ａとロックプレート５６の端部のカギ状凸部５６ａとの掛止が解除され、(ｅ)の状態のように、ロックボタン９が押下前の位置に戻り、トリガー５７のロックが解除される。
【発明の開示】
【発明が解決しようとする課題】
【００３３】
しかしながら、上述したような調速機構付きの電動工具スイッチにおいて、例えば、図１０のように、可動ストッパ５８を動作させてトリガーのストロークが規制されており、更に、調速ダイヤルによってロックプレートの位置が調節され、ストロークの範囲が小さく制限されている場合、ロックボタン９でトリガーをロックしていない状態であっても、図１０（ｂ）の拡大図に示すように、ロックボタン９の先端部のカギ状凸部９ａとロックプレート５６の端部のカギ状凸部５６ａとがオーバーラップした状態になることがある。
【００３４】
このような状態でロックボタン９を押下すると、トリガー５７を完全に押圧していなくても図１０（ｃ）の拡大図に示すように、互いのカギ状凸部が摺動し、ロックボタン９の先端部のカギ状凸部９ａとロックプレート５６の端部のカギ状凸部５６ａが掛止してしまい、トリガー５７がロック状態（図１０（ｄ）の拡大図）になってしまうことがある。
【００３５】
ところが、このロック状態を解除する場合、トリガー５７を再押圧してもストロークが規制された状態であり、又、ロックプレート５６がフルストロークの位置まで押し込まれても、互いのカギ状凸部がオーバーラップした状態（図１０（ｄ）の拡大図）にあるため掛止状態が解除できず、トリガーのロックが解除不能になってしまうという問題がある。
【００３６】
従って、電動工具スイッチにおいて、トリガーのストロークを規制（制限）しているときに、トリガーをロックして解除不能にならないようにすることに解決しなければならない課題を有する。
【課題を解決するための手段】
【００３７】
前記課題を解決するため、本発明に係る電動工具スイッチは次のような構成にすることである。
【００３８】
（１）モータの回転数を制御する回転数制御回路を有するスイッチ本体と、前記スイッチ本体に搭載され、切替レバーにより前記モータの回転方向を切り替える切替スイッチ部と、前記スイッチ本体から突出される操作子を押圧することにより前記モータの回転速度を変更することができるトリガーと、前記スイッチ本体と前記トリガーとの間に介在し、該トリガーのストロークを制限して前記モータの正回転と逆回転の回転速度を変更させるための可動ストッパと、前記モータの回転速度を調整するための調速機構と、から構成され、更に、前記スイッチ本体は、本体内部方向に押下することによって前記トリガーをロックすることができるロックボタンを備え、前記可動ストッパには、前記ロックボタンによるロックを阻止するロック阻止部が突設して一体形成されている電動工具スイッチであって、前記切替スイッチ部の切替レバーの操作によって前記可動ストッパを動作させ、該可動ストッパに一体形成された前記ロック阻止部を前記スイッチ本体と前記ロック部との間に挟入させることにより前記ロックボタンの押下を阻止するようにしたことを特徴とする電動工具スイッチ。
（２）前記切替スイッチ部の切替レバーの操作により、前記モータの回転方向を逆回転側に切り換えたときに、前記可動ストッパを動作させ、前記ロック阻止部によって前記ロックボタンの押下を阻止するようにしたことを特徴とする（１）に記載の電動工具スイッチ。
【００３９】
上記構成とすることで、切替スイッチ部の切替レバーを操作し、可動ストッパを動作させてトリガーのストロークを制限されるときに、可動ストッパの側面に突設して一体形成されたロック阻止部がスイッチ本体とロックボタンとの間に挟入状態となり、ロックボタンの押下が阻止される。
【発明の効果】
【００４０】
本発明は、電動工具スイッチにおいて、トリガーのストロークを規制するための可動ストッパにロック阻止部を突設して一体形成することにより、可動ストッパの動作によってトリガーのストロークが制限されたとき、ロック阻止部がスイッチ本体とロックボタンとの間に挟入してロックボタンの押下を阻止し、トリガーをロックできない状態にするものであり、電動工具スイッチの既存の構成部品である可動ストッパの形状の一部を変更するだけで、容易に、且つ、安価なコストでトリガーのロック解除不能という不具合を解消することができるという優れた効果を奏するものである。
【発明を実施するための最良の形態】
【００４１】
次に、本発明の電動工具スイッチによる実施の形態について図面を参照して説明する。但し、図面は専ら解説のためのものであって、本発明の技術的範囲を限定するものではない。
【実施例】
【００４２】
まず、本発明の電動工具スイッチの構造について説明する。なお、理解を容易にするため、従来の電動工具スイッチ（図６〜１０）と同一部分には同一の符号を付して説明する。
【００４３】
図１及び図２は、電動工具スイッチの一実施例を示した斜視図及び分解斜視図であり、電動工具スイッチ５０は、ロックボタン９を有するスイッチ本体５２と、切替レバー５３を備えた切替スイッチ部５４と、トリガー５７と、可動ストッパ５８と、調速ダイヤル９０などから構成される。
【００４４】
スイッチ本体５２は、モータの回転数を制御する回転数制御回路や回転速度を変更・調整するための機構（操作子５５、ロックプレート５６）などが内蔵され、更に、本体の片側の側面にはロックボタン９を有している。
【００４５】
ロックプレート５６は、スイッチ本体５２の操作子５５に連接されており、トリガー５７の押圧に連動して移動しロックボタン９の押下を阻止又は許可したり、調速ダイヤル９０の回転に応じて位置を移動させることでモータの回転速度が調整される。
【００４６】
また、図７で示したように、端部に所定の角度を持ったカギ状凸部５６ａを有しており、対面に配設されるロックボタン９の先端部に設けられたカギ状凸部９ａに掛止されることで、トリガー５７をロックする。
【００４７】
ロックボタン９は、トリガー５７をフルストロークとなるまで押し込んだ状態でロックすることができるボタンであり、図７で示したように、先端部に所定の角度を持ったカギ状凸部９ａを有しており、対面するロックプレート５６の端部のカギ状凸部５６ａと掛止することで、トリガー５７をロックする。
【００４８】
なお、ロックプレート５６の端部のカギ状凸部５６ａとロックボタン９の先端部のカギ状凸部９ａは、図７で示したように、対面するように配設され、且つ、互いの凸部によって掛止できるように逆方向に設けられおり、トリガー５７をフルストロークとなるまで押圧して連動するロックプレート５６を移動させ、この状態でロックボタン９を押下すると、トリガー５７の押圧を解除しても互いの凸部が掛止してトリガー５７がロックされる。
【００４９】
切替スイッチ部５４は、スイッチ本体５２に搭載され、切替レバー５３によりモータの回転の正逆を切り替える機構を備えている。
【００５０】
また、切替レバー５３には、底面側の傾斜状に立ち上がる直前の下方に突起部６１が突設されており、切替操作を行ったときに、この突起部６１が可動ストッパ５８を押下し、トリガー５７とスイッチ本体５２との間に可動ストッパ５８を挿入状態にする。
【００５１】
トリガー５７は、スイッチ本体５２との間に介在しているスプリング７１，７３によってスイッチ本体５２側へ押圧できるようになっており、スイッチ本体５２側に押圧すると、スイッチ本体５２内部から突出される操作子５５が押し込まれて、スイッチがオンになってモータが始動し、更に、押し込んでゆくことによって回転速度が変化してゆく。
【００５２】
また、逆に、トリガー５７の押圧を解除すると、スプリング７１，７３の反発によって押圧前の方向に戻るようになっており、全く押圧されていない状態でモータが停止するようになっている。
【００５３】
可動ストッパ５８は、スイッチ本体５２とトリガー５７との間に設けられ、切替レバー５３が操作されたとき、突起部６１によって押下されることで、スイッチ本体５２とトリガー５７との間に挿入状態となり、トリガー押圧によるストロークを規制し、モータの正回転と逆回転の回転速度を変更させるものである。
【００５４】
調速ダイヤル９０は、トリガー５７の正面方向から組み込まれており、スイッチ本体５２内のロックプレート５６と連動するダイヤルであり、ダイヤルを回転させると、ロックプレート５６の位置が前後に移動してトリガー５７のストローク（押込量）を可変させ、モータの回転速度が調整される。
【００５５】
ここで、可動ストッパ５８の詳細について説明する。図３に示すように、可動ストッパ５８は、全体としては中央に内部空間６７を有する略長方枠状に形成され、その上端と下端にはトリガー５７側へ突出しているブロック形状のストローク規制部５８Ｂ、５８Ｃが形成されており、ストローク規制部５８Ｂ、５８Ｃを連結する右側壁５８Ａは、ストローク規制部５８Ｂから外側斜め方向に所定の距離だけ広がって延びており、広がりきったところで下端方向に垂直に延設され、ストローク規制部５８Ｂと連結する手前で内側方向に入りむ肉薄の枠壁となっている。
【００５６】
また、ロックボタン９側となる右側壁５８Ａのストローク規制部５８Ｂから外側斜め方向に所定の距離だけ広がりきった位置には、スイッチ本体５２とロックボタン９との間に挟入する肉薄のロック阻止部５９が突設して一体形成されており、切替スイッチ部５４の切替レバー５３に設けられている突起部６１で可動ストッパ５８が押下されると、スイッチ本体５２とロックボタン９との間に挟入状態となり、ロックボタン９の押下を阻止する。
【００５７】
一方、可動ストッパ５８の左側壁５８Ｄは、その上端と下端にトリガー５７側へ突出しているブロック形状のストローク規制部５８Ｅ、５８Ｆが形成されており、ストローク規制部５８Ｅから外側斜め方向に所定の距離だけ広がって延びており、広がりきったところで下端方向に垂直に延設され、ストローク規制部５８Ｆと連結する手前で内側方向に入りむ肉薄の枠壁となっている。
【００５８】
そして、左側壁５８Ｄと右側壁５８Ａは、Ｕ字状をした薄肉の連結部５８Ｇで底部においてこれ等と一体に連結され、上壁５８Ｈをコ字状の上辺とする連結部材５８Ｊにより、ストローク規制部５８Ｂ、５８Ｅとその両側辺の端部が一体に形成されている。
【００５９】
また、連結部材５８Ｊは、トリガー５７側の側面５８Ｋに連結部材５８Ｊの一端側から上面５８Ｌと段差を持ち、所定幅で所定の長さに亘って庇状に突設される水平部５８Ｍが形成され、更にこの水平部５８Ｍから内部空間６７側に斜めに傾斜するスライド部５８Ｎが側設されている。
【００６０】
連結部材５８Ｊの上壁５８Ｈの底部と、スイッチ本体５２に固定された保持部の平坦面（図示せず）との間には、スプリング７２が挿入され、スイッチ本体５２に対して可動ストッパ５８を上方に押圧する。
【００６１】
続いて、図１及び図２で示した電動工具スイッチの切替レバー５３を切り替えたときのトリガー及びロックボタンの状態について説明する。
【００６２】
まず、切替レバー５３をモータが正回転側（ストロークの規制なし）に切り替えたときの状態について説明する。
【００６３】
図４（Ａ）に示すように、切替スイッチ部５４の上から見て反時計方向に切替レバー５３を回動させると、この切替レバー５３の先端部にある係合孔１８に係合されたボス２６は円弧状の貫通孔（図示せず）に沿って反時計方向の左端に移動し、この左端位置で切替スイッチ（図示せず）が正回転の方向に切り替わる。
【００６４】
この切替レバー５３の切り替えによって、切替スイッチ部５４内では、切替ロータとこれに連動する切替スイッチ（図示せず）によってモータの接続を正方向に回転するように切り替える。
【００６５】
そして、切替レバー５３により正回転側に切り替えられた後、トリガー５７を押圧して行くと、スイッチ本体５２内部から突出される操作子５５が押圧されてモータへの電源がオンとなり、さらにトリガー５７を押圧してスイッチ本体５２内部の摺動抵抗器の上をトリガー５７に連動する摺動子が摺動し、モータへの供給電圧が変化して回転速度が変化する。
【００６６】
また、トリガー５７の正面方向に組み込まれた調速ダイヤル９０を回転させると、これに連動してスイッチ本体５２内に設けられているロックプレート５６の位置が移動し、モータの回転速度を調整される。
【００６７】
このように、切替レバー５３を正回転側に切り替えたとき、切替レバー５３に突設された突起部６１は、図４（Ｃ）に示すように、可動ストッパ５８を押下しないので、トリガー５７のストロークは制限されずに、フルストロークまで自由に移動させることができ、可動ストッパ５８の右側壁５８Ａに突設して一体形成されているロック阻止部５９も動かないので、ロックボタン９の押下は阻止されない。
【００６８】
従って、トリガー５７をフルストロークになるまで押圧した状態のときに、必要に応じてロックボタン９を押下すると、図４（Ｂ）に示すように、ロックボタン９がスイッチ本体５２の内部方向へ押し込まれ、この状態でトリガー５７の押圧を解除すると、ロックプレート５６の端部のカギ状凸部５６ａとロックボタン９の先端部のカギ状凸部９ａとが掛止して、トリガー５７をロックすることができる（図８参照）。
【００６９】
次に、切替レバー５３をモータが逆回転側（ストロークを規制）に切り替えたときの状態について説明する。
【００７０】
図５（Ａ）に示すように、切替スイッチ部５４に対して上から見て時計方向に切替レバー５３を回動させると、この切替レバー５３の先端部にある係合孔１８に係合されたボス２６は円弧状の貫通孔（図示せず）において時計方向の右端に移動し、この右端位置で切替スイッチ（図示せず）が逆回転の方向に切り替わる。
【００７１】
この切替レバー５３の切り替えによって、切替スイッチ部５４内では、切替ロータとこれに連動する切替スイッチ（図示せず）によってモータの接続を逆方向に回転するように変更する。
【００７２】
このとき、切替レバー５３が逆回転側に切り替わると、図５（Ｃ）に示すように、切替レバー５３に突設された突起部６１によって可動ストッパ５８が押下され、可動ストッパ５８がトリガー５７とスイッチ本体５２との間に挿入された状態となり、可動ストッパ５８に設けられたストローク規制部５８Ｂ、５８Ｃ、５８Ｅ、５８Ｆがトリガー５７の押圧を阻止してストロークを制限する。これにより、例えば、正回転時のストロークの半分程度の距離（以下、ハーフストローク）しかトリガー５７を押圧することができなくなる。
【００７３】
また、可動ストッパ５８によってトリガー５７のストロークが制限されるとともに、可動ストッパ５８の右側壁５８Ａに突設して一体形成されたロック阻止部５９が連動し、図５（Ｂ）に示すように、スイッチ本体５２とロックボタン９との間に挟入されることによってロックボタン９の押下が阻止され、トリガー５７がロックできない状態となる。
【００７４】
なお、切替レバー５３によって逆回転側に切り替えられた後は、正回転側と同様、トリガー５７を押圧して行くと、スイッチ本体５２内部から突出される操作子５５が押圧されてモータへの電源がオンとなり、さらにトリガー５７を押圧してスイッチ本体５２内部の摺動抵抗器の上をトリガー５７に連動する摺動子が摺動し、モータへの供給電圧が変化し、トリガー５７を完全に押圧した状態では、ストロークが制限されている位置（例えば、ハーフストローク）に対応する適切な電圧がモータに印加される。
【００７５】
以上説明したように、切替スイッチ部５４の切替レバー５３を逆回転側に切り替えたとき、切替レバー５３に突設された突起部６１によって可動ストッパ５８が押下され、可動ストッパ５８でトリガー５７のストロークが制限されるとともに、可動ストッパ５８に突設して一体形成されたロック阻止部５９がロックボタン９とスイッチ本体５２との間に挟入されてロックボタン９の押下を阻止し、トリガー５７をロックできない状態とすることで、ストロークが制限されているときにロック解除ができずにトリガーが操作不能になることを防止する。
【図面の簡単な説明】
【００７６】
【図１】本発明の電動工具スイッチの構成を説明するための説明図（斜視図）である。
【図２】図１に示す電動工具スイッチの構成を説明するための説明図（分解斜視図）である。
【図３】図１に示す電動工具スイッチの可動ストッパの構造を説明するための説明図である。
【図４】図１に示す電動工具スイッチの切替レバーにより、モータを正回転側に切り替えたときの状態を説明するための説明図（平面図、正面図、側面図）である。
【図５】図１に示す電動工具スイッチの切替レバーにより、モータを逆回転側に切り替えたときの状態を説明するための説明図（平面図、正面図、側面図）である。
【図６】従来の電動工具スイッチの構成を説明するための説明図（斜視図）である。
【図７】電動工具スイッチのロック機構を説明するための説明図である。
【図８】図６に示す電動工具スイッチの切替レバーによってモータを正回転側に切り替えたときのトリガーのロック動作を説明するための説明図である。
【図９】図６に示す電動工具スイッチの切替レバーによってモータを逆回転側に切り替えたときのトリガーのロック動作を説明するための説明図である。
【図１０】図６に示す電動工具スイッチにおいて、トリガーのロックが解除されないときの状態を説明するための説明図である。
【符号の説明】
【００７７】
５０；電動工具スイッチ
９；ロックボタン
９ａ；カギ状凸部
１８；係合孔
２６；ボス  
５２；スイッチ本体
５３；切替レバー
５４；切替スイッチ部
５６；ロックプレート
５６ａ；カギ状凸部
５７；トリガー
５８；可動ストッパ
５８Ａ；右側壁
５８Ｂ,５８Ｃ,５８Ｅ,５８Ｆ；ストローク規制部
５８Ｄ；右側壁
５８Ｇ；連結部
５８Ｈ；上壁
５８Ｊ；連結部材
５８Ｋ；側面
５８Ｌ；上面
５８Ｍ；水平部
６７；内部空間
５９；ロック阻止部
６１；突起部
７１,７２,７３；スプリング
９０；調速ダイヤル
【図１】
2006231494.tif 000003
【図２】
2006231494.tif 000004
【図３】
2006231494.tif 000005
【図４】
2006231494.tif 000006
【図５】
2006231494.tif 000007
【図６】
2006231494.tif 000008
【図７】
2006231494.tif 000009
【図８】
2006231494.tif 000010
【図９】
2006231494.tif 000011
【図１０】
2006231494.tif 000012